Podtech/llm-jp-corpus-v4-ja_patent huggingface dataset:
(57)【要約】【課題】  犬を夜間に散歩させたり、自由に遊ばせる、または家畜を夜間に放牧させるのに適した発光装置を提供する。【解決手段】発光装置の構成として、馬蹄形の弾力性の帯体と、該帯体に設けられた発光体と、該発光体に電力を供給する電源と、該電源から前記発光体に電力を供給する際、該発光体を点滅させる点滅制御手段または単に点灯させる手段とを設ける。【選択図】    図１
2005176785.tif 000002
【特許請求の範囲】
【請求項１】
馬蹄形の弾力性の帯体と、該帯体に設けられた発光体と、該発光体に電力を供給する電源と、該電源から前記発光体に電力を供給する際、該発光体を点滅させる点滅制御手段または単に点灯させる手段とを有することを特徴とする発光装置。
【請求項２】
請求項１記載の発光装置において、動物の首輪のバックルに係合するように前記帯体に設けられた係合手段をさらに有することを特徴とする発光装置。
【請求項３】
請求項１記載の発光装置において、前記帯体の両端を結ぶように設けられた鎖、紐等をさらに有することを特徴とする発光装置。
【請求項４】
請求項１記載の発光装置において、前記帯体に設けられて前記発光体からの光を反射する反射板とをさらに有することを特徴とする発光装置。
【発明の詳細な説明】
【技術分野】
【０００１】
本発明は、発光装置に関し、特に夜間散歩のための犬に装着するための発光装置に関する。したがって、以下の説明は犬用の発光装置に関して説明するが、本発明は犬用の発光装置に限定されるものではなく、広く動物用の発光装置として用いることができる。
【背景技術】
【０００２】
犬等のペットを夜間に散歩させるとき、歩行者や自動車の運転手等の注意をひくために首輪に掛ける引き綱を面発光させるペット用引き綱が提案されている（特開２００１−０７８６１２号公報、特開２００１−３０９７３２号公報）。
【特許文献１】特開２００１−０７８６１２号公報
【特許文献２】特開２００１−３０９７３２号公報
【発明の開示】
【発明が解決しようとする課題】
【０００３】
引き綱を面発光させるものでは、夜間公園等で犬を自由に遊ばせるために放すことは、引き綱等を引きずったり、引き綱が木やその他の設備に絡まる恐れがあり、行うことができなかった。また、引き綱を発光させたものでは、暗い夜間では、歩行者等は引き綱のどちらが側に犬がつながれているか判断することが難しく、犬を避けるのが困難となる場合があった。また、家畜等の夜間の放牧には、引き綱が木やその他に絡まる恐れがあるので、用いることができなかった。
【０００４】
したがって、本発明は、犬を夜間に散歩させたり、自由に遊ばせる、または家畜を夜間に放牧させるのに適した発光装置を提供することにある。
【課題を解決するための手段】
【０００５】
上記課題を解決するために、本発明の発光装置は、馬蹄形の弾力性の帯体と、該帯体に設けられた発光体と、該発光体に電力を供給する電源と、該電源から前記発光体に電力を供給する際、該発光体を点滅させる点滅制御手段または単に点灯させる手段とを有することを特徴とする。
【発明の効果】
【０００６】
本発明は、犬を夜間に散歩させたり、自由に遊ばせる、または家畜を夜間に放牧させることができる。
【発明を実施するための最良の形態】
【０００７】
本発明は、馬蹄形の弾力性の帯体と、該帯体に設けられた発光体と、該発光体に電力を供給する電源と、該電源から前記発光体に電力を供給する際、該発光体を点滅させる点滅制御手段または単に点灯させる手段とを有することを特徴とする発光装置である。
【実施例】
【０００８】
図１は、発光装置の斜視図であり、図２は発光装置を点滅させる電気回路の一例を示す回路図である。図１に示すように、発光装置１０は、馬蹄形の弾力性の帯体１２と、帯体１２の一端に取付けられた点滅装置１４と、点滅装置１４によって点滅させられる発光体１６と、発光体１６からの光を反射させる反射板１８と、犬用の首輪のバックル部品と係合させるためのスロット２０と、帯体１２の両端を結ぶための鎖、紐２２とから成る。
【０００９】
帯体１２は、金属製薄板、プラスチック等の弾力性のある部材から製造される。点滅装置に代えて単に点灯させるものであってもよい。また、反射板１８、スロット２０、鎖、紐等２２は適宜省略してもよい。
【００１０】
図３に示すように、バックル部品１６の突起状のフック部分には導体としての薄銅板２２が固定されており、そこにリード線１９ａがはんだ付け等により固定されている。また、バックル部品１８の筒状のフック部分には導体として薄銅板２４が表側とから裏側に折り返されて固定されており、そこにリード線１４ａがはんだ付け等により固定されている。
【００１１】
次に、図２参照して、点滅装置の回路を説明する。点滅装置１４には、グネットスイッチ３２とスイッチ３６が内蔵されており、自己点滅ダイオード３４がスイッチ３２とスイッチ３６を介して接続され、さらに発光体である３色ダイオード１６が接続されている。スイッチ３６がオンの状態で、自己点滅ダイオードが点滅を行い、３色ダイオード１６が点滅する。なお、回路図はこの構成に限られず、発光体を点滅させる、又は点灯させル者であれば、任意の回路でよい。
【００１２】
本発明の発光装置は、例えば、夜間に犬を散歩させる際に、この発光装置を上から犬の首に通し、引き紐をつなぐためのバックルをスロットに通し、鎖に帯体の両端を結ぶ。その後、点滅装置のスイッチを入れて発光体を点滅させる。
【図面の簡単な説明】
【００１３】
【図１】図１は実施例の発光装置の斜視図である。
【図２】図２は実施例の点滅装置の回路図である。
【符号の説明】
【００１４】
１０  発光装置
１２  帯体
１４  点滅装置
１６  発光体
１８  反射板
２０  スロット
【図１】
2005176785.tif 000003
【図２】
2005176785.tif 000004
(57)【要約】【課題】従来、酪農家の牧草発酵は、ロールベールサイレージ（牧草ロール）を専用農機で作り、ポリエチレン製シートで覆い牧草の発酵熟成を行う方法をとっていた。そしてそのシートが石化製品であることから使用後の廃棄が規制されており、廃棄費用を用いて廃棄処理していた。【解決手段】地下１０メートル程度の地下空間を作り地熱を利用し一定温度を保たせる。そこへ牧草を投入し、初期段階のみ温風を送り発酵をコントロールする。その後は施設内の温度・酸素センサーによって発酵をコントロールする。発酵後は施設内のベルトコンベアーによって下の牧草から順じ取り出す。発酵により発生した熱を利用し、地下温室野菜・花き栽培施設を隣接させる。また温室栽培によって発生した酸素を再度発酵施設へ供給させる。また地温牧草発酵施設には、乳製品等の発酵施設・酒造施設や冷燻施設も隣接可能とする。【選択図】          図１
2005176755.tif 000002
【特許請求の範囲】
【請求項１】
地下１０メートル程度の地下空間を作り、地温を利用して一定温度を保ち牧草を発酵熟成する。またその発酵の際の、発熱や無酸素温風を利用して発酵施設、酒造施設、冷燻施設、地下温室野菜・花き栽培施設を併設させる方法。
【発明の詳細な説明】
【技術分野】
【０００１】
本発明は、酪農における牧草発酵に関する。
【背景技術】
【０００２】
従来、酪農家の牧草発酵は、ロールベールサイレージ（牧草ロール）を専用農機で作り、ポリエチレン製シートで覆い牧草の発酵熟成を行う方法をとっていた。
【発明の開示】
【発明が解決しようとする課題】
【０００３】
従来のロールベールサイレージとポリエチレン製シートを用いて行う牧草発酵熟成は、そのポリエチレン製シートが石化製品であることから使用後の廃棄が規制されており、廃棄費用を用いて廃棄処理していた。
【０００４】
本発明は、酪農の牧草発酵を目的とし、また地熱利用により、石化製品を使わずその処理費用もかからない環境保全を目的としている。
【課題を解決するための手段】
【０００５】
地下１０メートル程度の地下空間を作り地熱を利用し一定温度を保たせる。そこへ牧草を投入し、初期段階のみ温風を送り発酵をコントロールする。その後は施設内の温度・酸素センサーによって発酵をコントロールする。発酵後は施設内のベルトコンベアーによって下の牧草から順じ取り出す。発酵により発生した熱を利用し、地下温室野菜・花き栽培施設を隣接させる。また温室栽培によって発生した酸素を再度発酵施設へ供給させる。
【０００６】
また地温牧草発酵施設には、乳製品等の発酵施設・酒造施設や冷燻施設も隣接可能とする。
【発明の効果】
【０００７】
現在のロールベールサイレージを発酵させるためのポリエチレン製シートが不要となり、購入費用・廃棄費用のコスト削減となる。また地温を活用するため、ランニングコストも低減できる。
【発明を実施するための最良の形態】
【０００８】
発明の実施の形態を実施例にもとづき図面を参照して説明する。
図１に示される実施例において、地表から１０メートル程度の地下空間に牧草を投入させる。地上の小屋から温風送風機によって初期のみ牧草底から温風を出し発酵をコントロールする。以後は施設内の壁面に一定間隔で取り付けた温度・酸素センサーによってコントロールする。取り出しの際は牧草が中央に集まるようにし、そこからベルトコンベアーによって地上に出るようにする。また、同じ規模の地下施設を隣接させ、ガラス屋根による地下温室とし野菜・花き栽培ができるようにし、発酵施設から発生する熱も利用する。また、冬期はガラス屋根へも熱を送り融雪させる。
【０００９】
図２に示される実施例において、地下牧草発酵施設の熱を利用したチーズなどの発酵施設・ワインなどの酒造施設を隣接させることも可能とする。
【図面の簡単な説明】
【００１０】
【図１】地下牧草発酵施設と隣接する地下温室の概念図
【図２】地下牧草発酵施設と隣接する地下発酵場の概念図
【図１】
2005176755.tif 000003
【図２】
2005176755.tif 000004
(57)【要約】【課題】  焼成風化珊瑚を調味料である醤油に用い、その珊瑚が有するミネラル分の増強と、そのマイナスイオン発生機能が持つ醤油のよりよい熟成化の促進。【解決手段】  風化珊瑚１０を焼成風化珊瑚にし、珊瑚粉末３１とか珊瑚細粒３２の状態に加工して、焼成風化珊瑚の醤油用原材料４０が完成する。  一方、通常の醤油５０がある。これは市販用の醤油容器に詰められる直前の醤油以外にもこの通常の醤油５０の製造中の醤油もしくはこの醤油の原材料からなる。この醤油５０に上記の焼成風化珊瑚の醤油用原材料４０を添加して、焼成風化珊瑚入り醤油６０が完成する。この醤油６０は、上記の珊瑚４０によるは熟成７０が要点を為している。【選択図】  図１
2005176752.tif 000002
【特許請求の範囲】
【請求項１】
焼成風化珊瑚の粉末又は細粒物、該焼成風化珊瑚の粉末又は細粒物を醤油又は製造中の醤油もしくは醤油の原材料に添加したもの、より構成されることを特徴とした焼成風化珊瑚入り醤油。
【請求項２】
焼成風化珊瑚の粉末又は細粒物を醤油又は製造中の醤油もしくは醤油の原材料に添加し、この焼成風化珊瑚の粉末又は細粒物をその醤油に含まれる酸により溶解させ融和させること、より構成されることを特徴とした焼成風化珊瑚入り醤油の製造方法。
【発明の詳細な説明】
【技術分野】
【０００１】
本発明は、広くは珊瑚利用食品に関するものであり、特にその調味料に関するものである。就中、ミネラル補給ばかりでなく、珊瑚利用のマイナスイオンによる醤油の熟成化増強の味覚向上醤油に関するものである。
【背景技術】
【０００２】
珊瑚は、厚生労働省から食品添加物として認可されている。そして、これは、４０数種類のミネラルをバランスよく含んでおり、特に本願特許出願人による下記の特許文献に見られるように、炭酸カルシウム増強食品に利用されうる。もちろん、この特許文献１の発明の物は、その珊瑚はその歯磨きは言うに及ばずに、そのガムにおいてもその本体に混入しているのみであって、本願の醤油のように溶融はしていない。珊瑚はこればかりでなく、海辺などで風化した珊瑚を焼成したものは、従来の珊瑚に比べて格段的にマイナスイオンの発生量が多い性質を有する。したがって、これも本願特許出願人による下記の特許文献に見られるように、マイナスイオン発生装置に応用されている。
【０００３】
【特許文献１】平成１１年特許願第２５４６９９号
【特許文献２】平成１０年特許願第３７８６３９号
【発明の開示】
【発明が解決しようとする課題】
【０００４】
本願発明が解決しようとする問題点は、この焼成風化珊瑚を調味料である醤油に用いて、その珊瑚が有するミネラル分の増強と、そのマイナスイオン発生機能が持つ醤油のよりよい熟成化の促進に役立たせようとするものである。
【課題を解決するための手段】
【０００５】
本発明にかかる焼成風化珊瑚入り醤油及び製造方法は、以上の課題を解決するために、風化珊瑚を焼成したものを粉砕して、それを醤油に混入してその焼成風化珊瑚の粉末や細粒をその醤油に溶融させたものとした。
【０００６】
以下に、本発明にかかる焼成風化珊瑚入り醤油及び製造方法の具体的な構成を詳細に記載する。最初に、本発明の請求項１に記載した焼成風化珊瑚入り醤油の発明の構成を説明する。この発明は、まず、焼成風化珊瑚の粉末又は細粒物がある。つぎに、醤油又は製造中の醤油もしくは醤油の原材料がある。そして、この醤油又は製造中の醤油もしくは醤油の原材料に、上記の焼成風化珊瑚の粉末又は細粒物を添加したものである。
【０００７】
つぎに、本発明にかかる焼成風化珊瑚入り醤油及び製造方法の請求項２に記載した焼成風化珊瑚入り醤油の製造方法の発明の構成を説明する。この発明は、焼成風化珊瑚の粉末又は細粒物を、醤油又は製造中の醤油もしくは醤油の原材料に添加する。そして、この焼成風化珊瑚の粉末又は細粒物を、その醤油に含まれる酸により溶解させ融和させるものである。
【発明の効果】
【０００８】
本発明にかかる焼成風化珊瑚入り醤油及び製造方法は、以上のごとくになしたゆえに、上記の課題を解決して以下のごとき多大な効果が生じた。すなわち、珊瑚は、４０数種類のミネラルをバランスよく含んでおり、炭酸カルシウム増強醤油となった。その上に、海辺などで風化した珊瑚を焼成したものは、従来の珊瑚に比べて格段的にマイナスイオンの発生量が多い性質を有する。したがって、このマイナスイオンによりその醤油の熟成が一層はかれた。
【発明を実施するための最良の形態】
【０００９】
日常摂取する食物に不足しがちなミネラル特にカルシウムの補強と、マイナスイオン発生に伴う醤油の熟成の増強と言う目的を、焼成風化珊瑚の使用による簡単な手段と方法で解決をした。
【実施例１】
【００１０】
しかして、本発明にかかる焼成風化珊瑚入り醤油及び製造方法をその具体的な実施例を用いて添付の図面と共に詳細に述べる。まず、図に示すように、その準備段階として熱帯地方や亜熱帯地方の海岸などから採集し洗浄した風化珊瑚１０を、焼成過程２０を経て焼成風化珊瑚にする。この焼成風化珊瑚を粉砕過程３０で珊瑚粉末３１とか珊瑚細粒３２の状態に加工する。こうして、焼成風化珊瑚の醤油用原材料４０が完成する。
【００１１】
一方、通常の醤油５０がある。この醤油５０は、ここでは、その権利範囲の確認における便宜上、その完成品（醤油）５１である市販用の醤油容器に詰められる直前の醤油のみならず、この通常の醤油５０となる未完成品（醤油）５２である製造中の醤油もしくはこの醤油の原材料も含まれるものとする。この醤油５０に上記の焼成風化珊瑚の醤油用原材料４０を添加するものである。こうして、本願発明の焼成風化珊瑚入り醤油６０が完成する。
【００１２】
しかして、特許請求の範囲にはここまでの記載に止めてあるが、それはその権利保護の観点からの構成の記載のみてあって、本願の発明の内容上の要点は以下に示す珊瑚による熟成７０である。この珊瑚熟成７０は、上記の焼成風化珊瑚入り醤油６０が上記の焼成風化珊瑚の醤油用原材料４０の珊瑚溶融７１によってミネラル補強の醤油となる。この珊瑚の溶融は、その珊瑚の粒状の大小によっても異なるが、一般にその混入後３ヶ月程度でその珊瑚はその醤油の成分特にその酸分によって完全溶解する。一方、その焼成風化珊瑚の醤油用原材料４０は、負イオン７２を大量に発生させる。それゆえに、ここでもそれによる珊瑚熟成７０が生じる。
【産業上の利用可能性】
【００１３】
ミネラル補強の醤油となり、日常食するものであるゆえに、不足しがちなミネラル特にカルシウム補強に役立ち骨粗鬆症の予防食品への道が開ける。また、新たな熟成味覚の調味料として、新料理法の開発にも役立つ。
【図面の簡単な説明】
【００１４】
【図１】本発明にかかる焼成風化珊瑚入り醤油の製造方法の一実施例のブロックダイアグラムを示したものである。
【符号の説明】
【００１５】
１０  風化珊瑚
２０  焼成過程
３０  粉砕過程
３１  珊瑚粉末
３２  珊瑚細粒
４０  焼成風化珊瑚の醤油用原材料
５０  醤油
５１  完成品
５２  未完成品
６０  焼成風化珊瑚入り醤油
７０  珊瑚熟成
【図１】
2005176752.tif 000003
(57)【要約】［課題］本発明は、異常音を撲滅し、又コスト削減に役立つ構造のスピーカー。［手段］フレームアッシーにコイルを接着し、ダイヤフラムアッシー及びプロテクターアッシーを接着したもので構成する。【選択図】図２
2005176584.tif 000002
【特許請求の範囲】
【請求項１】
ダイヤフラム（６）が振動して音が出る。その際にマグネット（３）とポールピース（４）、ヨーク（８）、ボイスコイル（５）が必要とされている。本発明は［図２］の磁性体（１０）を使用することと、［図２］の構造にする事によりマグネット（３）を省くことができた。
【発明の詳細な説明】
【発明の詳細な説明】
［発明の属する技術分野］
【０００１】この発明は、携帯電話の着信、目覚まし時計のアラーム音等に使われているダイナミックスピーカの構造に関するものである。  ［発明が解決しようとする課題］
【０００２】ダイヤフラムにボイスコイルを接着する時の位置精度。ヨークにマグネント及びポールピース接着する時の位置精度。これらの位置精度が音質を高める重要な役割を担っている。接着工程のバラツキが音質低下の原因になっている。従来の構造で必要とされているマグネットは非常に高価な為、コストを押し上げている。この発明は以上の問題点を解決し、品質向上及びコスト削減に役立つことができた。  ［課題を解決する手段］
【０００３】図３の従来の構造では、ダイヤフラム（６）が振動している時にボイスコイル（５）とヨーク（８）、ポールピース（４）、マグネット（３）のこすれが発生するが、図２の構造にする事により、異常音の原因のこすれがなくなったのとコスト削減につながった。［発明の実施の形態］
【０００４】（イ）一体形成されたヨーク（８）にポールピース（４）を接着する。更にターミナル（１）を接着する。これをフレームアッシーとする。（ロ）ダイヤフラム（６）に磁性体（１０）を接着する。これをダイヤフラムアッシーとする。（ハ）プロテクター（７）にダンパー（９）を接着する。これをプロテクターアッシーとする。（ニ）フレームアッシーにコイル（５′）を接着する。ターミナル（１）にコイル（５′）のリード端末を半田付けする。半田付け後、ダイヤフラムアッシーとプロテクターアンシーを接着して完成となる。［発明の効果］
【０００５】本発明を使用する事により、異常音がなくなり品質向上に役立つことができた。又、製造工程の簡素化と材料費削減につながった。
【図面の簡単な説明】
【図１】本発明の上図面
【図２】本発明の断面図
【図３】従来の断面図
【符号の説明】
（１）ターミナル、（２）フレーム、（３）マグネット、（４）ポールピース、（５）ボイスコイル、（６）ダイヤフラム、（７）プロテクター、（８）ヨーク、（９）ダンパー、（１０）磁性体、（５′）コイル
【図１】
2005176584.tif 000003
【図２】
2005176584.tif 000004
【図３】
2005176584.tif 000005
(57)【要約】【課題】咀嚼・嚥下性に優れた食肉食品を得たい。【解決手段】食肉を予備的に乾燥し、それを微粉砕処理することにより、上記した咀嚼・嚥下性に優れた食品が得られることを見出した。【選択図】なし【特許請求の範囲】
【請求項１】
原料肉を予備的に乾燥処理し、前記乾燥処理した原料肉を微粉砕化処理すると共に、処理された原料肉を再成型することを特徴とする微紛砕処理肉を使用した咀嚼・嚥下性に優れた食品。
【請求項２】
請求項１記載の微粉砕処理肉を使用した食品において、原料肉は乾燥にて水分含量を１０〜３０％に調整すると共に、高速回転式微粉砕機を用いて１０００μｍ未満の粒度に粉砕した微粉砕処理肉を使用した咀嚼・嚥下性に優れた食品。
【発明の詳細な説明】
【技術分野】
【０００１】
本発明は、微紛砕処理肉を使用した咀嚼・嚥下性に優れた食品に関する。
【背景技術】
【０００２】
高齢化社会を目前に高齢化対応食品及び介護食の開発が行なわれている。中でも特に咀嚼・嚥下機能は重要である。食肉製品にこのような機能を付与する開発研究は、例えばソーセージを高水分にすること、あるいは食肉に対して化学的処理を行なうこと、等がある。
【０００３】
先行資料として、ソーセージを高水分とするものの特許文献１と同じく非特許文献２を、又化学的処理であるものの非特許文献３とを以下にあげる。
【特許文献１】特許出願２００３−３２５５５２，（澱粉の使用と加熱温度の調整）。
【非特許文献２】「食肉製品とそのテクスチャー」島根正則，重久保、『新食感事典』株式会社サイエンスフォーラム，１９９９，P２６１，（増粘多糖類の使用）。
【非特許文献３】「食べ易い食肉の力学特性と咀嚼運動」高橋等、『日本家政学会誌』ｖｏｌ５４，NO．５（２００３）P２１，（重曹浸漬による食肉の軟化）。
【０００４】
しかしながら上記した方法ではその用途が限定されてしまうため、我々はより一般的な食肉素材の開発をめざして鋭意研究をしてきた。以下に微粉砕技術も従来から行なわれており、これらの代表例を説明する。
【０００５】
先ず、第１は食品の超微粉砕技術がある。ここでの対象は、一般的には穀類，豆類等の粉砕であり、対象食品としてはコーヒー，大豆，ココア，香辛料，砂糖，小麦粉茶であり、次いで副産物利用技術として骨付肉，魚肉粉砕に利用されてきた。
【０００６】
そして具体例としては下記の未利用資源の食材化が中心である。
小豆かす：まんじゅう，氷小豆の餡に入れる。
オカラ    ：マッシュポテトの代替原料コロッケ，ミートボールへ添加。
野菜残査：ジュース用。
【０００７】
第２は食肉分野であり、この分野での微粒子化技術は、牛，豚，鳥の骨をグラインダーで微粒子化して、ハンバーグ用原料とすることが行なわれてきた。これらの文献としては下記がある。
記
【非特許文献１】「セラミックグラインダーによる骨肉の製造」増田幸也『最先端食品加工技術』木村進，亀和田光男監修  シーエムシー（１９８５）P２７。
【発明の開示】
【発明が解決しようとする課題】
【０００８】
しかしながら上記した各従来技術即ち各対象食材が非加熱のままや、高水分の原料では微粉砕処理をしても、咀嚼・嚥下性において不充分であることがわかった。
本発明は上記課題を解決するためになされたものであり、微粉砕処理の食肉を使用した咀嚼・嚥下性に優れた食品を提供することを目的としている。
【課題を解決するための手段】
【０００９】
ここにおいて我々は種々の検討をした結果、食肉を予備的に乾燥し、それを微粉砕処理することにより、上記した咀嚼・嚥下性に優れた食品が得られることを発見した。即ち、このように処理した食肉は粉末状であり、肉組織が極めて短い繊維状に粉砕されるので殆ど咀嚼の必要なく口中で溶解し、嚥下し易く通常の食肉とは異なる食感の改善と咀嚼・嚥下性に優れた機能を有していた。本技術は食肉副産物や魚肉にも適用可能である。
【発明の効果】
【００１０】
以上説明したように、本発明によれば咀嚼・嚥下性に優れているばかりか常温保存が可能で、水分散性がよく、かつ消化・吸水性が良いため、各種の食品素材なかんずく高齢化対応食品に特に適している。又、本素材を再成型するには通常の結着性を有するカゼイン，ゼラチン，その他多糖類が利用でき、その加工適正は大きい。これらの特性を利用して高齢化対応食品向きの新しい用途を開発した。
【発明を実施するための最良の形態】
【００１１】
そこで我々は、原料肉を予備的に乾燥し、それから微粉砕することにより、本発明は達成できた。
【実施例１】
【００１２】
先ず、食肉の微粉砕処理に際して牛肉を用い、これを乾燥した後、微粉砕処理をした。乾燥条件は通常の熱風乾燥とし、水分含量を１０〜３０％に調整した。又、微粉砕化処理に用いたものは、三田村理研製のＺＭ１０００の超遠心粉砕機であり、回転数１５，０００ｒｐｍ，スクリーン口径１．０ｍｍ，メッシュ０．５ｍｍであった。
【００１３】
上記した微粉砕処理牛肉の分析値は下記であった。
記
水分             ２１．７１％
タンパク質     ６１．９５％
脂肪               ２．２８％
炭水化物        ６．１５％
灰分               ７．９１％
【００１４】
食肉製品の製造方法としては、微粉砕化処理肉２０部を３０℃で加温したゼラチン（３％溶液）２０部に加えて混合し、球状に成型してから、一晩冷却（１０℃）し乾燥した。これによりミートボール様の乾燥食肉製品を得た。試食結果では明らかに咀嚼・嚥下性に優れていた。
【００１５】
最終製品の分析値は下記であった。
記
水分             ６１．７８％
タンパク質     ３０．７２％
脂肪               １．０６％
炭水化物        ２．８１％
灰分               ３．６３％
【産業上の利用可能性】
【００１６】
以上により本発明は、咀嚼・嚥下性に優れていると共に、水にも分散性がよく、かつ消化・吸収性が良いため、高齢化対応食品に適している。
(57)【要約】【課題】果実の種子を焼いた独特の香味をもつ飲用アルコールを提供する。【解決手段】  果実の種子とアルコールを用い、表面を焼くように加熱処理した果実の種子をアルコールに漬け込み、該アルコールに焼いた種子の香ばしい風味を抽出させる。【選択図】なし【特許請求の範囲】
【請求項１】
表面を焼くように加熱処理した果実の種子をアルコールに漬け込み、該アルコールに種子の香ばしい風味を抽出させた飲用アルコール。
【請求項２】
果実の種子とアルコールを用い、果実の種子に対して表面を焼くように加熱処理する工程と、加熱処理した果実の種子をアルコールに漬け込む工程とからなり、加熱処理した果実の種子をアルコールに漬け込むことで、該アルコールに種子の香ばしい風味を抽出させるようにする飲用アルコールの製造方法。
【発明の詳細な説明】
【技術分野】
【０００１】
この発明は、独特の香味をもつ飲用アルコールとその製造方法に関する。
【背景技術】
【０００２】
果実を用いた食品や飲料は、果肉の部分を食したり搾って飲用に供するが、残った種子は使い道がなく、例えば、梅干や梅酒のような果実を用いた食品や飲料の製造工程では梅の種子が大量に発生することになる。
【発明の開示】
【発明が解決しようとする課題】
【０００３】
従来、果実を用いた食品や飲料の製造工程で発生した種子の有効な利用の方法がないため、その処理に余分な経費がかかるというも問題がある。
【０００４】
そこで、本発明者は、果実を用いた食品や飲料の製造工程で発生した種子の有効利用を鋭意研究するなかで、種子を加熱処理（ロースト）することにより独特の香ばしい風味が生じる点に着目し、加熱処理した種子の香味をアルコールに抽出させることにより、今までにない独特の香味をもつ飲用アルコールを完成するに至った。
【０００５】
この発明の課題は、従来にない独特の香味をもつ飲用アルコールとその製造方法を提供することにある。
【課題を解決するための手段】
【０００６】
上記のような課題を解決するため、請求項１の発明は、表面を焼くように加熱処理した果実の種子をアルコールに漬け込み、該アルコールに種子の香ばしい風味を抽出させた構成を採用したものである。
【０００７】
ここで、果実の種子としては、生梅の種子、梅干の種子、梅酒漬梅の種子、砂糖漬梅の種子のような梅の種子のほか、桃等の食品や飲料の製造に用いることができる果実の種を挙げることができる。
【０００８】
また、種子の加熱処理は、１００℃〜４００℃で数分から数時間行い、表面を焼くようにローストして香ばしい香りがでるようにし、この場合、種子はそのままで加熱処理してもよいが、種子を適当な粒状に粉砕してから加熱処理するようにしてもよい。
【０００９】
上記アルコールには、アルコール濃度が５％〜６０％のアルコールを用い、このアルコールに対する種子の量は、加熱処理した種子を１％〜６５％（重量％）の量だけ加えて浸漬させる。
【００１０】
請求項２の発明は、果実の種子とアルコールを用い、果実の種子に対して表面を焼くように加熱処理する工程と、加熱処理した果実の種子をアルコールに漬け込む工程とからなり、加熱処理した果実の種子をアルコールに漬け込むことで、該アルコールに種子の香ばしい風味を抽出させるようにする構成を採用したものである。
【発明の効果】
【００１１】
この発明によると、表面を焼くように加熱処理した果実の種子をアルコールに漬け込み、該アルコールに種子の香ばしい風味を抽出させたので、種子の持つ味と加熱処理による香ばしい風味がアルコールに溶けだし、種子の香ばしい香味を持つ新たな味覚の飲用アルコールを提供することができる。
【００１２】
また、種子の香ばしい香味を持つ新たな味覚の飲用アルコールは、氷や水で希釈してスピリッツとし飲用しても美味しいが、糖類を添加してエキス分を２％以上にしてリキュール類としたり、他のアルコール飲料や果汁、飲料を添加すれば、今までにない、独特の香味を持つ飲用アルコールを作り出すことができる。
【発明を実施するための最良の形態】
【００１３】
表面を焼くように加熱処理した果実の種子をアルコールに漬け込み、該アルコールに種子の香ばしい風味を抽出させる。
【実施例１】
【００１４】
この発明の飲用アルコールは、材料に果実の種子と、この種子を浸漬する飲用可能なアルコールを用い、上記果実の種子は、表面を焼くように加熱処理し、この加熱処理した種子をアルコールに漬け込むことにより、種子の香ばしい風味をアルコールに抽出させることによって製造される。
【００１５】
上記果実の種子としては、生梅の種子、梅干の種子、梅酒漬梅の種子、砂糖漬梅の種子のような梅の種子のほか、桃等の食品や飲料の製造に用いることができる果実の種を挙げることができ、また、種子の加熱処理は、１００℃〜４００℃で数分から数時間行い、表面を焼くようにローストして香ばしい香りがでるようにし、この場合、種子はそのままで加熱処理してもよいが、種子を適当な粒状に粉砕してから加熱処理するようにしてもよい。
【００１６】
上記材料に用いる飲用のアルコールの種類は特に限定されるものではなく、アルコール濃度が５％〜６０％のアルコール、例えば、焼酎やブランデー等を用い、このアルコールに対する種子の量は、加熱処理した種子を１％〜６５％（重量％）の量だけ加えて浸漬させる。
【００１７】
上記のようにして製造された飲用アルコールは、氷や水で希釈して適度なアルコール度数にすれば、香ばしい風味のするスピリッツとし飲用することができる。
【００１８】
また、上記した飲用アルコールに、焼酎のようなアルコール飲料や果汁、各種飲料を混和させることにより、種子をローストした香ばしい風味と、混和させた焼酎のようなアルコール飲料や果汁、各種飲料の香味の調和により、今までにない独特の香味をもつ飲用アルコールとして楽しむことができる。
【００１９】
更に、上記した飲用アルコールに、糖類を添加してエキス分を２％以上にすれば、香ばしい風味のするリキュール類となり、このリキュールに他のアルコール飲料や果汁、飲料を添加すれば、今までにない、独特の香味を持つ飲用アルコールを作り出すことができる。
(57)【要約】      （修正有）【課題】湯に漬ける必要がなく、作業時間もあまりかからず、作業が簡単で、単にまげるだけで、手や腕に装着および取り外しができ、身体障害者や高齢者または幼児も容易に使用できる小道具を提供する。【解決手段】圧力で曲がり、その圧力を解放するとその状態を維持する材料よりなる線状芯材４を可撓性材料５でくるんでなる線材６を、フぉーク等小道具に連結固定して、身体障害者用、高齢者用または幼児用のフォーク１等小道具を形成する。小道具は、フォーク、スプーン等食事用道具や、ナイフ、鋏等工具や、鉛筆、ボールペン等筆記具等、およびその他の小道具である。【選択図】図１
2005176959.tif 000002
【特許請求の範囲】
【請求項１】
圧力で曲がり、その圧力を解放するとその状態を維持する材料よりなる線状芯材を可撓性材料でくるんでなる線材を、小道具に連結固定してなる身体障害者用、高齢者用または幼児用の小道具。
【請求項２】
小道具が、食事用道具、工具または筆記具のいずれかよりなることを特徴とする請求項１に記載の身体障害者用、高齢者用または幼児用の小道具。
【発明の詳細な説明】
【技術分野】
【０００１】
この発明は、手や腕に障害がある人や高齢者または幼児が使用し易いスプーン等食事用道具、筆記具や工具等小道具に関するものである。
【背景技術】
【０００２】
従来の小道具は、柄が金属、木製または硬質プラスチックであって、形が固定されている。手の不自由な人は、障害の程度によって、柄を握れない人や、柄を握ることができても柄と先端部との角度がしっくりしない場合がある。
そこで、従来、特許文献１に記載の洋食器のように、室温以上の温度変化によって弾性率が変化する形状記憶ポリマーで柄を形成した洋食器がある。
【特許文献１】特許公告  平５−８２２０２号公報          （特許請求の範囲、７頁右欄第１２〜２３行、８頁左欄第３０行〜３９行、第１図）
【発明の開示】
【発明が解決しようとする課題】
【０００３】
従来の形状記憶ボリマーで柄を形成した洋食器は、室温以上の温度の湯で柄を柔らかくして手で持ったり手や腕に沿わせて曲げ、柄を手や腕になじませてから冷してその形状を固定しなければならない。その洋食器を手や腕から外す場合には、柄を手や腕に固定したまま、手や腕と共に柄を室温以上の湯に浸漬させなければならない。
その洋食器の装着前後の作業は、相当面倒で、時間もかかり、取り外しの際には洋食器と共に手や腕も湯に漬けなければならず、洋食器の装着位置によっては、衣服も濡れることになる。
【課題を解決するための手段】
【０００４】
圧力で曲がり、その圧力を解放するとその状態を維持する材料よりなる線状芯材を可撓性材料でくるんでなる線材を、小道具に連結固定して、身体障害者用、高齢者用または幼児用の小道具を形成する。。
小道具は、フォーク、スプーン等食事用道具や、ナイフ、鋏等工具や、鉛筆、ボールペン等筆記具等、およびその他の小道具である。
【発明の効果】
【０００５】
この発明に係る小道具は、湯に漬ける必要がなく、作業時間もあまりかからず、作業が簡単で、単にまげるだけで、手や腕に装着および取り外しができ、身体障害者や高齢者または幼児も容易に使用できる。
【発明を実施するための最良の形態】
【０００６】
図１は、本件発明に係るフォークを示す。フォーク１は、尖端部２に続く柄３に、針金等圧力を加えると曲がり、その圧力を解放すると、その形状、状態を維持する芯材４をＥＶＡ、その他の軟質合成樹脂、ゴム等可撓性材料５で被服した補助柄部６を係止具７で接続固定したものである。
【０００７】
フォーク１を使用する場合には、きき腕の手が不自由な人は、他方の手で、図２に示すように、フォーク１の柄３の部分を不自由なきき腕８の手９に持たせ、補助柄部６を腕６に沿わせ曲げながら巻く。補助柄部６は腕６に巻いた状態を維持するので、フォークが安定し、食事をすることができる。
補助柄部６の巻き方を調整したり、曲げ方を調整することにより、尖端部２の傾きを調整することができる。
【０００８】
両手が不自由な人は、他の人にフォークを装着してもらう。
手を失った人は、腕や肩等にフォーク１を装着して使用する。
【０００９】
フォーク１以外に、スプーン等食事用道具や、ナイフ、鋏等工具や、鉛筆、ボールペン等筆記具等その他の道具にも補助柄部６を取付けて上記の要領で使用する。
【００１０】
両腕を失った人が、小道具を使用する場合には、それら小道具の補助柄部６を足や脚、あるいは肩に装着して使用することができる。
【００１１】
手や腕等に装着した小道具を取り外すためには、補助柄部６を曲げ、緩めて外す。
【００１２】
スプーン等小道具を上手に使用出来ない高齢者や幼児でも、本願発明に係る小道具を使用することによって、人手を借りずに容易に食事等をすることができる。
【図面の簡単な説明】
【００１３】
【図１】この発明に係るフォークの斜視図である。
【図２】上記フォークを腕に装着した説明図である。
【符号の説明】
【００１４】
１  フォーク
２  尖端部
３  柄
４  芯材
５  可撓性材料
６  補助柄部
７  係止具
８  腕
９  手
【図１】
2005176959.tif 000003
【図２】
2005176959.tif 000004
(57)【要約】【課題】血液型や生まれた年や星座によって数パターンに分類された占いでなく、個人個人が自分自身の過去のデータを用意に分析でき、そのデータに基づいた占いが出来る冊子を提供する。【解決手段】1月1日から12月31日までの各日付毎に表を設け、同月同日の日付に対して数年分の記述が出来るようにして、その表に使用者が、日毎の占いに関するデータを記述していく事で使用者本人の過去の同月同日のデータが一覧できるようになりそれを基に自分自身を占う事が出来る冊子とした。【選択図】図１
2005176985.tif 000002
【特許請求の範囲】
【請求項１】
1月1日から12月31日までの各日付毎に表を設け、表の行方向又は列方向の見出し１を年とし、複数年分設け、別方向の見出し２を占いに使用できる項目、例えばラッキーカラー、ラッキーナンバー等の項目とし数種類分設け、各年毎にその日の主な出来事等を記述できる欄３を数行設けた表とし、1ページに1個づつ又は数個づつの表を配置し、366個分の表を備え、使用者が日毎に表の該当する年の欄に項目についての記述を行う事で、日々毎の使用者のデータが複数年分一覧できる表になり、使用者がその日の自分自身の占いに活用出来るようになる事を特徴とした冊子。
【発明の詳細な説明】
【技術分野】
【０００１】
本発明は、使用者が日毎に自ら記述した占いに関するデータを、同一の月日について数年分が一覧でき、そのデータを当日の自分自身の占いに活用する事が出来ることを目的とした占い用冊子に関する。
【背景技術】
【０００２】
従来技術には、手帳として日付毎に区分され、予定や日記を書き込めるものがあり、従来の占い本には星座や血液型や生まれた年によって占ったものがある。また、1ページに特定の月日について多年分を書き込める日記がある。
【発明の開示】
【発明が解決しようとする課題】
【０００３】
従来技術には次のような問題点がある。
【０００４】
従来の日付毎に区分された手帳は1年で更新してしまうため昨年以前の自身の記述を閲覧するのには不向きである。
【０００５】
従来の占い本は血液型や生まれた年や星座によって数種類のグループに分けられており、同じグループの人が同じ占いの内容になってしまい、個人個人の統計的なデータに基づいたものではない。
【０００６】
従来技術には、1ページに特定の月日について多年分を書き込める日記があるが、記述内容が特定されておらず、したがって項目毎に区分されてないため、各年の具体的な項目に対するデータを一覧し、使用者自身を占う事には不向きである。
【課題を解決するための手段】
【０００７】
本発明は課題を解決するため、次の手段を講ずる。
【０００８】
使用者が記述した昨年以前のデータを閲覧しやすくするために各月日毎に表を設け、表の行方向又は列方向の見出し１を年にして複数年分設けることで、別方向の見出し２に定めた占いに使用する項目について使用者が記述した昨年以前の同月同日のデータを一目で閲覧できるようにした。
【０００９】
血液型や生まれた年や星座などとは関係なく使用者が自らのデータを記述して蓄積したデータを一目で閲覧し、それを参考に自分自身の占いが出来るようにした。
【００１０】
年毎にその日の主な出来事等を記述する欄３とは別に、表の行方向又は列方向に、見出し２として占いに使用するための項目、例えばラッキーカラーやラッキーナンバー等の具体的な項目を定めた表を設ける事で、データの統計的な解析に適するようにした。
【発明の効果】
【００１１】
本発明により、以下の効果が得られる。
【００１２】
使用者が今日という特定の日付での自分の運勢を占うにあたり昨日のデータや先週のデータよりも、昨年の同月同日や一昨年の同月同日のデータが列記されている表を見る事が出来るため、特定の日付についてのデータ解析が容易になった。
【００１３】
血液型や生まれた年や星座により数パターンに分けられた占いではなく、使用者が個々のデータに基づき自分で自分自身の占いを行う事が容易に出来るようになった。
【００１４】
表の行方向又は列方向に占いに使用する項目、例えばラッキーカラーやラッキーナンバー等を見出し２として定める事で、日々の記述内容が具体的に定められ項目毎に昨年以前のデータの解析が出来るようになった。
【発明を実施するための最良の形態】
【００１５】
本発明の最良の形態は、1月1日から12月31日までの各日付毎に表を設け、表の行方向の見出し１を年とし複数年分設け、列方向の見出し２を占いに使用できる項目、例えばラッキーナンバーやラッキーカラーとし数個分設け、各年毎にその日の主な出来事等を記述できる欄３を数行設け、冊子の1ページに1個づつ又は数個づつの表を配置し366個分の表を備えた冊子とし、使用者が日毎に各項目について自らのその日のデータを記入していく事で、日々毎の使用者のデータ複数年分を一覧できるようになり、その日付の使用者のラッキーカラーやラッキーナンバーを使用者自身が占う材料として利用出来るようになる冊子である。
【実施例１】
【００１６】
図1は本発明の冊子の1ページ分を示す平面図であり、冊子には366日分の表が配置されており、年毎に同月同日の各項目に対するデータが記述され、同一ページに蓄積される。
【実施例２】
【００１７】
図２は本発明の冊子を見開きにした状態を示す斜視図であり、各年、各項目欄に、予測される使用者の記入例を記載したものであり、この使用者は20年3月5日の自分のラッキーカラーを白色だと占う事が出来る。
【図面の簡単な説明】
【００１８】
【図１】本発明の冊子の1ページ分を示す平面図。（実施例１）
【図２】本発明の冊子を見開きにした状態を示す斜視図。（実施例２）
【符号の説明】
【００１９】
１    行方向又は列方向の見出し。
２    1とは別方向の見出し。
３    その日の主な出来事等を記述できる欄。
【図１】
2005176985.tif 000003
【図２】
2005176985.tif 000004
(57)【要約】【課題】  ソフトスタート時間のあるスイッチングレギュレータのソフトスタート時間を任意に短縮する。【解決手段】  ソフトスタート回路の充電容量の接続を任意に切り替えられるようにＭＯＳトランジスタ１６を追加する。【選択図】    図１
2005176476.tif 000002
【特許請求の範囲】
【請求項１】
少なくとも、コイルと出力コンデンサとスイッチング素子を含み、前記スイッチング素子をON/OFFさせる駆動回路を有する昇圧型スイッチングレギュレータのソフトスタート回路において、
ソフトスタート時間を決定する電流源と、電荷を蓄積するための容量との間にMOSトランジスタを具備することを特徴とする昇圧型スイッチングレギュレータ。
【請求項２】
少なくとも、コイルと出力コンデンサとスイッチング素子を含み、前記スイッチング素子をON/OFFさせる駆動回路を有する降圧型スイッチングレギュレータのソフトスタート回路において、
ソフトスタート時間を決定する電流源と、電荷を蓄積するための容量との間にMOSトランジスタを具備することを特徴とする降圧型スイッチングレギュレータ。
【発明の詳細な説明】
【技術分野】
【０００１】
本発明は、スイッチングレギュレータの電源印加時に、出力容量を充電するための突入電流を抑えるソフトスタート回路を有するスイッチングレギュレータに関する。
【背景技術】
【０００２】
従来のスイッチングレギュレータは、図２に示すような回路で構成されている。
【０００３】
図２の入力の電源８がコイル９に接続され、前記コイル９の他端がSWトランジスタ７のドレインと整流ダイオード１０のアノードに接続され、前記整流ダイオード１０のカソードは分割抵抗３、４と出力容量１１と抵抗負荷１２に接続されている。前記分割抵抗３、４によって分圧された電圧と、基準電圧回路１から出力された基準電圧をソフトスタート回路２によって起動時間を制御した電圧とを誤差増幅回路５によって比較し、デューティ制御回路６の出力が前記SWトランジスタ７のゲートにON時間を制御するように動作し、出力電圧を一定にするように動作する。基準電圧回路１の出力に接続されているソフトスタート回路２は、基準電圧回路１の出力を数ms程度の時間をかけてゆっくりと立ち上げることで、電源印加時の突入電流を防止することを目的としている。
【０００４】
この、ソフトスタート回路２の従来の回路例を図３に示す。  図３のMOSトランジスタ１３は、基準電圧回路１と誤差増幅回路５の間に接続され、MOSトランジスタ１３のゲートに、電流源１５と容量１４が接続されている。電源投入時にMOSトランジスタ１３のゲートに接続された容量１４を電流源１５によって充電することで、MOSトランジスタ１３のON抵抗を徐々に下げて、誤差増幅回路５に入力される電圧をゆっくりと立ち上げることで出力電圧のソフトスタートを実現していた（例えば、特許文献１参照。）。
【特許文献１】特開平１０ −２７１６８０号公報
【発明の開示】
【発明が解決しようとする課題】
【０００５】
しかし、従来のソフトスタート回路は電源印加時に必ず基準電圧回路の出力に対して働くため、電源を印加する毎にソフトスタート時間を経過しないとスイッチングレギュレータの出力電圧が所望の電圧とならないため、テスト時間に影響を与えてしまうという問題点があった。
【課題を解決するための手段】
【０００６】
上記課題を解決するために、本発明においては、ソフトスタート時間を決定する電流源と容量との間にMOSトランジスタを設けたことを特徴とする。
【０００７】
MOSトランジスタをOFF状態とすることで、電流源と容量の接続が切り離されるため、ソフトスタート時間を短縮することができる。
【発明の効果】
【０００８】
本発明のスイッチングレギュレータはソフトスタート回路において、ソフトスタート時間を決定する容量と電流源との接続を任意に切り替えられる構成としたことで、ソフトスタート時間の有無を任意に切り替えることができる効果がある。
【発明を実施するための最良の形態】
【０００９】
本願発明の最良の形態を以下の実施例に基づいて説明する。
【実施例】
【００１０】
以下に、本発明を図面に基づいて説明する。図１は本発明に係わる第１の実施例を示したソフトスタート回路の回路図である。基準電圧回路１、誤差増幅回路５、MOSトランジスタ１３、容量１４、電流源１５は従来と同様である。図１では容量１４とMOSトランジスタ１３のゲートとの間にMOSトランジスタ１６を接続している。
【００１１】
次に、図１により、本発明に係わるソフトスタート回路の動作について説明する。MOSトランジスタ１６がON状態のときには、ソフトスタート回路は従来の回路と同様の動作を行うため、電源投入時にはソフトスタートがかかって動作を行う。
【００１２】
MOSトランジスタ１６がOFF状態のときには、電流源１５にはMOSトランジスタ１３のゲートしか接続されていないことになるので、MOSトランジスタ１３はすぐにON状態となる。従って、誤差増幅回路５には基準電圧回路１の出力がすぐに入力されるので、ソフトスタートがかからず出力電圧をすぐに立ち上げることが可能となる。MOSトランジスタ１６のON/OFFをゲート入力である１７の状態を切り替えることで、任意にソフトスタート時間の有無を切り替えることができる。
【００１３】
実施例１では昇圧型スイッチングレギュレータに関して説明しているが、降圧型のSWRでもソフトスタート回路の構成はほぼ同等であるので、同様の構成とすればソフトスタートの有無を任意に切り替えることができるのは明白である。
【図面の簡単な説明】
【００１４】
【図１】本発明に実施例１に係わるソフトスタート回路の回路図である。
【図２】従来の昇圧型スイッチングレギュレータの回路図である。
【図３】従来のソフトスタート回路の回路図である。
【符号の説明】
【００１５】
１      基準電圧回路
２      ソフトスタート回路
３、４    分割抵抗
５      誤差増幅回路
６      デューティ制御回路
７      SWトランジスタ
８      電源
９      コイル
１０    ダイオード
１１    出力容量
１２    抵抗負荷
１３、１６    MOSトランジスタ
１４    容量
１５    電流源
１７    ソフトスタート切替入力
【図１】
2005176476.tif 000003
【図２】
2005176476.tif 000004
【図３】
2005176476.tif 000005
(57)【要約】【課題】本発明は、ワイヤカット時に凹部を形成し、この凹部内につなぎ部を形成し、寸法公差外れの防止及び後加工を不要とすることを目的とする。【解決手段】本発明によるレゾルバステータ構造は、輪状ステータ(1)の外径(4)をワイヤカットでカットする際に、外周面(2)に凹部(10)を形成し、この凹部(10)内につなぎ部(3)を形成することにより、寸法公差外れ及び後加工をなくすようにした構成である。【選択図】図２
2005176426.tif 000002
【特許請求の範囲】
【請求項１】
輪状ステータ(1)の外径(4)をワイヤカットによりカットして形成したレゾルバステータ構造において、
前記輪状ステータ(1)の外周面(2)に凹部(10)を形成し、前記凹部(10)内に前記ワイヤカットのつなぎ部(3)を形成した構成よりなることを特徴とするレゾルバステータ構造。
【請求項２】
前記つなぎ部(3)は、前記凹部(10)の中心位置に形成されていることを特徴とする請求項１記載のレゾルバステータ構造。
【請求項３】
前記つなぎ部(3)の高さは前記凹部(10)の深さ以下であることを特徴とする請求項１又は２記載のレゾルバステータ構造。
【発明の詳細な説明】
【技術分野】
【０００１】
本発明は、レゾルバステータ構造に関し、特に、ワイヤカットのつなぎ部を外周面の凹部内に形成することにより、ワイヤカット後のバリ取り、及び、外径の寸法公差外れを防止するための新規な改良に関する。
【背景技術】
【０００２】
従来、用いられていたこの種のレゾルバステータ構造としては、プレス抜きを行う場合と、ワイヤカットにより加工する場合とがある。
一般に、レゾルバステータ構造としては、特許文献１に開示されているように、その外径は全周にわたり同一となるように形成されていた。
従って、図３に示されるように、輪状ステータ１をワイヤカットで形成した場合、その外周面２を加工スタート位置から加工エンド位置まで加工するため、そのつなぎ部３では山状に盛り上がって形成されていた。
【０００３】
【特許文献１】米国特許第６０２８３８３号明細書
【発明の開示】
【発明が解決しようとする課題】
【０００４】
従来のレゾルバステータ構造は、以上のように構成されていたため、次のような課題が存在していた。
すなわち、図３に示されるように、つなぎ部３が山状に形成されて外径４から外側に突出する状態となるため、外径４の寸法公差から外れることになり、このつなぎ部３をバリ除去加工として後加工（２次加工）する必要があり、生産性向上に大きい支障となっていた。
【課題を解決するための手段】
【０００５】
本発明によるレゾルバステータ構造は、輪状ステータの外径をワイヤカットによりカットして形成したレゾルバステータ構造において、前記輪状ステータの外周面に凹部を形成し、前記凹部内に前記ワイヤカットのつなぎ部を形成した構成であり、また、前記つなぎ部は、前記凹部の中心位置に形成されている構成であり、また、前記つなぎ部の高さは前記凹部の深さ以下である構成である。
【発明の効果】
【０００６】
本発明によるレゾルバステータ構造は、以上のように構成されているため、次のような効果を得ることができる。
すなわち、輪状ステータの外周面に凹部を形成し、この凹部内にワイヤカットのつなぎ部を形成させているため、寸法公差から外れることもなく、また、後加工を行う必要もない。
【発明を実施するための最良の形態】
【０００７】
本発明は、輪状ステータの外周面に形成した凹部内につなぎ部を形成し、寸法公差の外れ、つなぎ部除去の後加工をなくし、生産性向上を目的とする。
【実施例】
【０００８】
以下、図面と共に本発明によるレゾルバステータ構造の好適な実施の形態について説明する。
図１において、符号１で示されるものは、全体形状が輪状をなす輪状ステータであり、この輪状ステータ１は周知のワイヤカットによってその外径４が切断加工されている。
【０００９】
前述のワイヤカットにおいて、輪状ステータ１の外周面２の一部に凹部１０を形成している。すなわち、ワイヤカットを行う際に、そのスタート位置Ａから凹部１０の半分の形成を始め、外径４の加工を行ってエンド位置Ｂに到達する直前に凹部１０の半分の形成を行うことにより、結果的に凹部１０内に、ワイヤカットのスタートとエンドにより形成される山形のつなぎ部３が凹部１０内の中心位置に形成される。
【００１０】
従って、前記凹部１０の深さは前記つなぎ部３の高さよりも大であるため、外径４の寸法公差は外れることがなく、後加工の必要もない。
【産業上の利用可能性】
【００１１】
本発明は、レゾルバに限らず、シンクロ、モータ、センサ等に適用可である。
【図面の簡単な説明】
【００１２】
【図１】本発明によるレゾルバステータ構造の平面図である。
【図２】図１のＡ部の詳細図である。
【図３】従来のつなぎ部を示す構成図である。
【符号の説明】
【００１３】
１    輪状ステータ
２    外周面
３    つなぎ部
４    外径
１０    凹部
【図１】
2005176426.tif 000003
【図２】
2005176426.tif 000004
【図３】
2005176426.tif 000005